(57)【要約】【課題】  トイレ室内の清掃を容易に行うことができるトイレおよびその清掃方法を提供する。【解決手段】  トイレ室２内の壁部５に磁性材料を含む琺瑯製の化粧パネル７を固定し、化粧パネル７の表面に、トイレットペーパー１０用の紙巻器９および衛生洗浄装置３３のリモコン３３４を、永久磁石９５，３３４ｄの磁力によって着脱自在に固定する。化粧パネル７は、便器３の便座部３３２に着座している使用者Ａの手が届く所定範囲Ｓに紙巻器９およびリモコン３３４を固定することができるように配置する。【選択図】  図１
2011001718.tif 000002
【特許請求の範囲】
【請求項１】
床部、壁部およびドア部を有するトイレ室と、前記トイレ室内に設置された便器とを備えたトイレであって、
前記トイレ室内の前記壁部における、前記便器に着座している使用者の手が届く所定範囲に配置されている磁性材料を含む内装パネルと、
前記内装パネルに永久磁石の磁力によって着脱自在に固定される壁付機器と、
を備えていることを特徴とするトイレ。
【請求項２】
前記内装パネルは、前記壁部、前記便器および前記床部の少なくとも１箇所を清掃する清掃者の邪魔にならない位置に前記壁付機器を仮固定することができるように配置されている請求項１記載のトイレ。
【請求項３】
前記内装パネルは、金属製の磁性材料の表面にガラスコーティングを施した琺瑯製の化粧パネルよりなる請求項１または２に記載のトイレ。
【請求項４】
前記壁付機器は、トイレットペーパー用の紙巻器、または前記使用者の局部を洗浄する衛生洗浄装置を遠隔操作するリモコンよりなる請求項１〜３に記載のトイレ。
【請求項５】
次の工程（ａ）〜（ｃ）を含むことを特徴とするトイレの清掃方法。
（ａ）  トイレ室内の壁部に配置された磁性材料を含む内装パネルにおける、便器に着座している使用者の手が届く所定範囲に、永久磁石の磁力によって着脱自在に固定されている壁付機器を、一旦取り外す第一工程
（ｂ）  前記壁付機器を取り外した状態で、前記壁部、前記便器および前記床部の少なくとも１箇所を清掃する第二工程
（ｃ）  前記清掃の後に、前記壁付機器を前記内装パネルにおける前記所定範囲に前記永久磁石の磁力によって固定する第三工程
【請求項６】
前記第一工程において、取り外した前記壁付機器を、前記内装パネルにおける清掃者の邪魔にならない位置に、前記永久磁石の磁力によって仮固定する請求項５に記載のトイレの清掃方法。
【発明の詳細な説明】
【技術分野】
【０００１】
本発明は、室内に紙巻器等の壁付機器を備えたトイレおよびその清掃方法に関する。
【背景技術】
【０００２】
従来のトイレでは、トイレットペーパー用の紙巻器や、便器に備えられた衛生洗浄装置を操作するためのリコモンを保持するリモコンホルダ等の壁付機器は、トイレ室内の壁面にネジ（ビス）により固定されている（例えば、特許文献１、２参照）。
【先行技術文献】
【特許文献】
【０００３】
【特許文献１】特開２００６−９５０２７号公報（図４参照）
【特許文献２】特開２００３−２９９１６５号公報（図３参照）
【発明の概要】
【発明が解決しようとする課題】
【０００４】
トイレ室内の壁面を清掃する際に、その壁面に固定されている壁付機器の周囲を清掃し難いという問題があった。また、トイレ室の敷地面積が狭い場合、トイレ室内の便器や床部を清掃しようとすると、清掃者の体が壁付機器に当たるため、便器や床部を清掃し難いという問題もあった。
本発明はこのような事情に鑑みてなされたものであり、トイレ室内の清掃を容易に行うことができるトイレおよびその清掃方法を提供することを目的とする。
【課題を解決するための手段】
【０００５】
上記目的を達成するための本発明のトイレは、床部、壁部およびドア部を有するトイレ室と、前記トイレ室内に設置された便器とを備えたトイレであって、前記トイレ室内の前記壁部における、前記便器に着座している使用者の手が届く所定範囲に配置されている磁性材料を含む内装パネルと、前記内装パネルに永久磁石の磁力によって着脱自在に固定される壁付機器と、を備えていることを特徴としている。
【０００６】
上記のように構成されたトイレによれば、トイレ室内の壁部に配置された磁性材料を含む内装パネルに、壁付機器を、便器に着座している使用者の手が届く所定範囲で、永久磁石の磁力によって着脱自在に固定することができる。したがって、トイレ室内の壁部を清掃する際に、壁付機器を内装パネルから取り外すことにより、壁付機器が固定されている周囲の壁部を容易に清掃することができる。また、便器や床部を清掃する際に、壁付機器を内装パネルから取り外すことにより、清掃者の体が壁付機器に接触するのを防止することができるので、便器や床部の清掃を容易に行うことができる。
【０００７】
また、前記内装パネルは、前記壁部、前記便器および前記床部の少なくとも１箇所を清掃する清掃者の邪魔にならない位置に前記壁付機器を仮固定することができるように配置されているのが好ましい。
この場合、トイレ室内を清掃する際に、壁付機器をトイレ室内の清掃者の邪魔にならない位置に仮固定することができる。このため、取り外した壁付機器をトイレ室の外に一旦仮置きするために清掃者がトイレ室を出入りする必要がなく、清掃作業を迅速に行うことができる。
【０００８】
また、前記内装パネルは、金属製の磁性材料の表面にガラスコーティングを施した琺瑯製の化粧パネルよりなるのが好ましい。
この場合、内装パネルを琺瑯製としたので、例えば、木製の内装パネルの裏面に鉄板を設ける場合と比べると壁部の施工が簡単である。また、内装パネルは、金属製の磁性材料の表面にガラスコーティングが施された化粧パネルよりなるため、永久磁石の磁力によって壁付機器の着脱を繰り返しても、内装パネルの表面はガラスコーティングによって保護されているため、内装パネルの表面が損傷するのを抑制することができる。
【０００９】
また、前記壁付機器は、トイレットペーパー用の紙巻器、または前記使用者の局部を洗浄する衛生洗浄装置を遠隔操作するリモコンよりなるのが好ましい。
この場合、トイレ室内の壁部を清掃する際に、紙巻器またはリモコンを内装パネルから取り外すことにより、壁付機器が固定されている周囲の壁部を容易に清掃することができる。また、便器や床部を清掃する際に、紙巻器またはリモコンを内装パネルから取り外すことにより、清掃者の体が紙巻器やリモコンに接触するのを防止することができるので、便器や床部の清掃を容易に行うことができる。
【００１０】
一方、本発明のトイレの清掃方法は、次の工程（ａ）〜（ｃ）を含むことを特徴としている。
（ａ）  トイレ室内の壁部に配置された磁性材料を含む内装パネルにおける、便器に着座している使用者の手が届く所定範囲に、永久磁石の磁力によって着脱自在に固定されている壁付機器を、一旦取り外す第一工程
（ｂ）  前記壁付機器を取り外した状態で、前記壁部、前記便器および前記床部の少なくとも１箇所を清掃する第二工程
（ｃ）  前記清掃の後に、前記壁付機器を前記内装パネルにおける前記所定範囲に前記永久磁石の磁力によって固定する第三工程
上記のようなトイレの清掃方法によれば、内装パネルに固定されている壁付機器を、一旦取り外してから壁部等を清掃するようにしたので、壁付機器が固定されている周囲の壁部を容易に清掃することができる。また、便器や床部を清掃する際に、清掃者の体が壁付機器に接触するのを防止することができるので、便器や床部の清掃を容易に行うことができる。
【００１１】
また、前記第一工程において、取り外した前記壁付機器を、前記内装パネルにおける清掃者の邪魔にならない位置に、前記永久磁石の磁力によって仮固定するのが好ましい。
この場合、内装パネルから一旦取り外した壁付機器を、トイレ室内の邪魔にならない位置に仮固定することができるので、取り外した壁付機器をトイレ室の外に一旦仮置きするために清掃者がトイレ室を出入りする必要がなく、清掃作業を迅速に行うことができる。
【発明の効果】
【００１２】
本発明のトイレによれば、トイレ室内の壁部を清掃する際に、壁付機器を壁部から取り外すことにより、壁付機器が固定されている周囲の壁部を容易に清掃することができる。また、便器や床部を清掃する際に、壁付機器を壁部から取り外すことにより、清掃者の体が壁付機器に接触するのを防止することができるので、便器や床部の清掃を容易に行うことができる。
【図面の簡単な説明】
【００１３】
【図１】本発明のトイレの全体平面図である。
【図２】トイレの斜視図である。
【図３】化粧パネルの拡大断面図である。
【図４】紙巻器の全体構成を示す斜視図である。
【図５】図４のＡ−Ａ断面図である。
【図６】リモコンの全体構成を示す斜視図である。
【図７】リモコンのホルダ部のみを示す斜視図である。
【図８】図７のＢ−Ｂ断面図である。
【発明を実施するための形態】
【００１４】
次に、本発明の好ましい実施形態について添付図面を参照しながら説明する。図１は、本発明の実施形態に係るトイレの全体平面図であり、図２は、トイレの斜視図である。
図１において、トイレ１は、トイレ室２と、このトイレ室２内に設置された便器３とを備えている。トイレ室２は、前記便器３が設置されている床部４と、便器３の左右両側方および後方の三方を囲む壁部５と、便器３の前方にてトイレ室２を開閉するためのドア部６とを有している。
【００１５】
図２において、便器３は、洋式便器であって、便器本体３１と、便器本体３１の後方に設置された水タンク３２と、便器本体３１の上部に取り付けられた衛生洗浄装置３３と、を備えている。水タンク３２には、便器本体３１内の排泄物を排水するための洗浄用水が貯えられている。
【００１６】
衛生洗浄装置３３は、洗浄部３３１と、洗浄部３３１に対して上下回動可能な便座部３３２および蓋部３３３と、遠隔操作用の無線式のリモコン３３４とを備えている。洗浄部３３１には、図示しない洗浄ノズルが取り付けられており、この洗浄ノズルから噴出する洗浄水によって、便座部３３２に着座している使用者Ａ（図１参照）の局部を洗浄することができる。
【００１７】
壁部５は、図１に示すように、便器３の右側方に配置された右壁面５１と、便器３の左側方に右壁面５１と対向して配置された左壁面５２と、便器３の後方に配置された後壁面５３と、内装パネルとしての化粧パネル７とを有している。化粧パネル７は、右壁面５１の下部に配置された右パネル７１と、左壁面５２の下部に配置された左パネル７２と、後壁面５３の下部に配置された後パネル７３とにより構成されている。
【００１８】
図３は、化粧パネル７（各パネル７１〜７３）の拡大断面図である。
右パネル７１は、琺瑯製のパネルからなり、金属製の磁性材料である金属基板（例えば薄鋼板）７１ａの表面に、ガラスコーティングを施すことにより数十〜数百μｍ程度の被膜７１ｂが形成されたものである。金属基板７１ａの裏面は、図示しない接着剤または両面接着テープなどを使用して右壁面５１に固定されている。左パネル７２および後パネル７３も、右パネル７１と同一構造であり、金属基板７２ａ，７３ａの表面にそれぞれ被膜７２ｂ，７３ｂが形成されており、金属基板７２ａ，７３ａの裏面がそれぞれ左壁面５２，後壁面５３に固定されている。
【００１９】
右パネル７１には、壁付機器８としての上記リモコン３３４および紙巻器９が着脱可能に固定されている（図２参照）。
図４は、紙巻器９の全体構成を示す斜視図であり、図５は、図４のＡ−Ａ断面図である。
図４において、紙巻器９は、背板部９１と、この背板部９１の左右両端部に固定された一対の側板部９２と、各側板部９２に取り付けられた支持部９３と、背板部９１の上端に回動可能に取り付けられた紙切部９４とを備えている。
【００２０】
紙巻器９は、前記支持部９３によってトイレットペーパー１０（図２参照）の軸芯を回転可能に支持し、紙切部９４によりトイレットぺーパー１０を任意の長さで切断可能である。背板部９１の裏面には、上部の左右両端と下部の中央に合計３個の永久磁石９５が配置されている。各永久磁石９５は、図５に示すように断面コ字型の金属製の取付部９６を介して、背面板９１の裏面に形成された取付穴９１ａに固定されている。これらの永久磁石９５の磁力によって、背板部９１が右パネル７１の表面に着脱自在に固定されている。
【００２１】
図６は、前記リモコン３３４の全体構成を示す斜視図である。
リモコン３３４は、前記洗浄ノズルを使用者Ａによってリモートコントロール（遠隔操作）するものであり、操作部３３４ａと、この操作部３３４ａを係脱可能に取り付けるためのホルダ部３３４ｂとを有している。
操作部３３４ａの前面には、前記洗浄ノズルから洗浄水を噴出開始するための２種類の開始スイッチＳＷ１，ＳＷ２と、これらの噴出を停止するための停止スイッチＳＷ３と、洗浄ノズルの前後位置を調節するための位置調節スイッチＳＷ４，ＳＷ５と、洗浄水の噴出量（水勢）を調節するための水勢調節スイッチＳＷ６，ＳＷ７と、洗浄水の水温を調節するための水温調節スイッチＳＷ８と、便座部３３２の温度を調節するための温度調節スイッチＳＷ９とが設けられている。
【００２２】
操作部３３４ａの内部には、上記各スイッチＳＷ１〜ＳＷ９の操作に基づいて各種動作信号を洗浄部３３１の信号受信部（図示せず）に向けて送信するための信号送信部（図示せず）が設けられている。尚、この信号は、赤外線、超音波または電波信号等が用いられる。
【００２３】
図７は、リモコン３３４のホルダ部３３４ｂのみを示す斜視図であり、図８は、図７のＢ−Ｂ断面図である。
図７および図８において、ホルダ部３３４ｂは、平板状に形成されており、その前面には前方に突出する係止部３３４ｃが形成されている。この係止部３３４ｃに、操作部３３４ａの裏面に形成された被係止部（図示せず）を係止することにより、操作部３３４ａがホルダ部３３４ｂに着脱自在に固定されている。また、ホルダ部３３４ｂの裏面には、上下一対のゴム磁石からなる永久磁石３３４ｄが固定されている。これらの永久磁石３３４ｄの磁力によって、ホルダ部３３４ｂが右パネル７１の表面に着脱自在に固定されている。
【００２４】
図１および図２において、化粧パネル７を構成する各パネル７１〜７３は、壁付機器８を所定範囲Ｓ内の任意の位置に着脱自在に固定することができるとともに、当該壁付機器８をトイレ室２内を清掃する清掃者の邪魔にならない位置に仮固定することができるように配置されている。本実施形態では、各パネル７１〜７３は、いずれも略同一の高さＨを有するとともに、対応する各壁面５１〜５３の幅と略同一幅に形成されている。
【００２５】
ここで、「所定範囲Ｓ」とは、使用者Ａが便座部３３２に着座した状態で、当該使用者Ａの手が壁付機器８に届く範囲であることを意味する。本実施形態では、右壁面５１および左壁面５２の一部が所定範囲Ｓに含まれている。その範囲は、例えば、図１において使用者Ａの左右の腕をそれぞれ真横に水平に伸ばしたときに、その使用者Ａの左右の手先が各パネル７１，７２に当たる位置Ｐ１，Ｐ２を中心として、それぞれ各パネル７１，７２の表面に沿う半径Ｒの円により囲まれる範囲Ｓ１，Ｓ２となる（図２も参照）。なお、半径Ｒの長さは、各パネル７１，７２までの水平距離や、使用者Ａの腕の長さ等の諸条件によって決定される。
また、「清掃者の邪魔にならない位置」とは、清掃者の体が壁部５、便器３または床部４の清掃中に壁付機器８と接触しない位置であることを意味する。
【００２６】
このように、壁付機器８の紙巻器９およびリモコン３３４は、永久磁石９５，３３４ｄの磁力により、化粧パネル７の任意の位置に着脱自在に固定することができるため、使用者Ａは壁付機器８を使い勝手の良い位置に取り付けることができる。また、使用者Ａが複数存在する場合は、各人毎に壁付機器８を使い勝手の良い位置にそれぞれ固定することができる。
【００２７】
次に、トイレ室２内の壁部５、便器３および床部４を清掃する清掃方法について、図２を参照しながら説明する。
まず、トイレ室２内の右パネル７１に固定されている紙巻器９およびリモコン３３４を右パネル７１から一旦取り外す（第一工程）。具体的には、右パネル７１の表面に永久磁石９５，３３４ｄの磁力で固定されている紙巻器９の背板部９１およびリモコン３３４のホルダ部３３４ｂを右パネル７１の表面から取り外す（図５および図８参照）。
【００２８】
次に、取り外した紙巻器９およびリモコン３３４を、各パネル７１〜７３のうち清掃者の邪魔にならない位置に、前記磁力によって仮固定する。例えば、本実施形態では、図２の一点鎖線で示すように、左パネル７２の最前部に、紙巻器９およびリモコン３３４をそれぞれ上下に配置するように仮固定する。具体的には、左パネル７２の表面に、紙巻器９の背板部９１およびリモコン３３４のホルダ部３３４ｂを永久磁石９５，３３４ｄの磁力によって固定する。
【００２９】
仮固定をした後は、各壁面５１〜５３、各パネル７１〜７３、便器３および床部４を順次清掃する。その際、左パネル７２を清掃するときは、仮固定されている紙巻器９およびリモコン３３４を一時的に取り外して清掃する（第二工程）。
清掃作業が終了すると、仮固定されている紙巻器９およびリモコン３３４を左パネル７２から取り外し、清掃前に固定されていた右パネル７１の所定位置に固定する（第三工程）。なお、紙巻器９およびリモコン３３４の具体的な着脱方法は、上述の通りである。
【００３０】
上記のように構成された本実施形態のトイレ１によれば、トイレ室２内の壁部５に配置した磁性材料を含む化粧パネル７に、紙巻器９やリモコン３３４等の壁付機器８を、便器３の便座部３３２に着座している使用者Ａの手が届く所定範囲Ｓで、永久磁石９１ａ，３３４ｄの磁力によって着脱自在に固定することができる。したがって、トイレ室２内の壁部５を清掃する際に、壁付機器８を化粧パネル７から取り外すことにより、壁付機器８が固定されている周囲の壁部５を容易に清掃することができる。また、便器３や床部４を清掃する際に、壁付機器８を化粧パネル７から取り外すことにより、清掃者の体が壁付機器８に接触するのを防止することができるので、便器３や床部４の清掃を容易に行うことができる。
【００３１】
また、化粧パネル７は、壁部５等を清掃する清掃者の邪魔にならない位置に、壁付機器８を仮固定することができるように配置したので、壁部５等を清掃する際に、壁付機器８をトイレ室２内の清掃者の邪魔にならない位置に仮固定することができる。このため、取り外した壁付機器８をトイレ室２の外に一旦仮置きするために清掃者がトイレ室２を出入りする必要がなく、清掃作業を迅速に行うことができる。
【００３２】
また、化粧パネル７は琺瑯製のパネルよりなるため、例えば、木製の化粧パネルの裏面に鉄板を設ける場合と比べると、壁部５の施工が簡単である。また、化粧パネル７は、金属基板７１ａ〜７３ａの表面にガラスコーティングが施された被膜７１ｂ〜７３ｂを形成しているため、永久磁石９５，３３４ｄの磁力によって壁付機器８の着脱を繰り返しても、化粧パネル７の表面は被膜７１ｂ〜７３ｂによって保護されているため、化粧パネル７の表面が損傷するのを抑制することができる。
【００３３】
なお、本発明は上記実施形態に限定されるものではなく、例えば上記実施形態では、紙巻器９およびリモコン３３４を化粧パネル７に対して着脱可能に固定しているが、その他の壁付機器８を着脱可能に固定してもよい。
また、上記実施形態では、右壁面５１および左壁面５２の一部が、所定範囲Ｓに含まれているが、便座３が後壁面５３に近接して配置されており、使用者Ａの手が後壁面５３に配置される壁付機器８に届く場合には、後壁面５３の一部を所定範囲Ｓに含めることも可能である。
【００３４】
さらに、化粧パネル７は、右壁面５１、左壁面５２および後壁面５３にそれぞれ配置されているが、トイレ室の右側方また左側方にドア部が配置されているトイレの場合は、前壁面に配置することも可能である。
また、所定範囲Ｓは、半径Ｒにより形成される真円形の範囲Ｓ１，Ｓ２としたが、上述の諸条件に応じて真円形以外の範囲に変更可能であることは言うまでもない。
【００３５】
また、化粧パネル７は、各壁面５１〜５３の全幅に亘って配置されているが、少なくとも前記所定範囲Ｓに配置されていればよい。この場合には、化粧パネル７の大きさを最小限に抑えることができるので、コスト安価となる。
また、上記実施形態では、化粧パネル７を琺瑯製としたが、金属製や他の磁性材料を含むものであってもよい。ただし、化粧パネル７の表面が損傷するのを抑制するという観点では、琺瑯製にすることが好ましい。
また、上記実施形態では、壁部５、便器３および床部４のすべてを清掃する場合について説明したが、いずれか１箇所のみを清掃する場合であってもよい。
【符号の説明】
【００３６】
１    トイレ
２    トイレ室
３    便器
４    床部
５    壁部
６    ドア部
７    化粧パネル（内装パネル）
８    壁付機器
９    紙巻器
１０    トイレットペーパー
３３    衛生洗浄装置
７１ａ  金属基板（磁性材料）
７２ａ  金属基板（磁性材料）
７３ａ  金属基板（磁性材料）
９５    永久磁石
３３４    リモコン
３３４ｄ  永久磁石
Ａ    使用者
Ｓ    所定範囲
【図１】
2011001718.tif 000003
【図２】
2011001718.tif 000004
【図３】
2011001718.tif 000005
【図４】
2011001718.tif 000006
【図５】
2011001718.tif 000007
【図６】
2011001718.tif 000008
【図７】
2011001718.tif 000009
【図８】
2011001718.tif 000010